(57)【要約】【課題】  商店参加型の図柄選択式くじを取り扱い店で発行、販売、使用できるくじを提供する。【解決手段】  商品購入時、通信ネットワークへの接続時点、遊技機器を使用してるとき、販売店にて販売したくじは当選した賞品の図柄の加盟店、販売店で使用できるため賞品となる商品、商店の宣伝することで地域を活性化させ経済効果を上げ地域に貢献すること。【選択図】図２
2010012206.tif 000002
【特許請求の範囲】
【請求項１】
今迄のくじと違う点は図柄（賞品となる商品、職業、商店、商標の何れかの図柄を使用するくじで色々な図柄の中から図柄を選択するくじ、図柄の中から数字を選択するくじ、ビンゴ式くじ、こすりだし式くじ、遊技機器を使用したくじ、電気通信事業を使用したくじがあり図柄は賞品となる商品、商店、職業、商標の図柄で表記してあり仮に表記のない職業、商店、商品、商標の図柄でも図柄を作成して加盟すれば参加することができることを特徴とする商店参加型の図柄選択式くじ。
【発明の詳細な説明】
【技術分野】
【０００１】  本発明は図柄を使ったくじに関するものである。
【背景技術】
【０００２】  賞品となる商店参加型のくじで参加店で商品を購入時に賞品となる図柄のくじを付ける、また賞品となる図柄のくじを販売する。【０００３】  賞品となる図柄を選択する所である。
【発明の開示】
【発明が解決しようとする課題】
【０００４】  賞品となる商品、商店街、デパート等の加盟店で発行、使用することができるため賞品となる商品、商店の宣伝をすることで地域を活性化させ経済効果を上げ地域に貢献すること。
【課題を解決するための手段】
【０００５】  図柄（賞品）の組合せで色々な職業、商店、商品、商標の組合せが出来ビンゴ式の場合、商店街限定、地域限定等のオリジナルのくじができる。【０００６】  商店、デパート等で商品購入時、商品１点に付き１枚（購入商品の図柄）または購入金額幾らに付き１枚とか決めて発行する。当選くじは発行した店舗で使用できる。【０００７】  図柄の隠れている部分をコイン等で削り図柄を揃える。図柄が揃ったら発行の店舗で使用できる。【０００８】  遊技機器を使用したくじルーレット、スロットマシン等で図柄、数字を揃える。図柄、数字を揃えて使用できる。【０００９】  上記の方法を電気通信事業に使用したくじ。通信ネットワークへの接続時点での提供。図柄、数字のくじを提供する。
【発明の効果】
【００１０】  上述したように店舗で販売または商品購入時に発行するので当選したくじは発行した店舗で使用することができるため商店に貢献することができる。
【発明を実施するための最良の形態】
【００１１】  店舗において販売、商品購入時に発行する。図１においては賞品となる商品、商店、職業、商標の図柄を使用する事で商品、商店、職業、商標の広告宣伝、新商品の宣伝にもつながりまさに一石二鳥であり図２においては色々な図柄（賞品となる商品、商店、職業、商標）などの組合せのくじで地域、商店街等の色々な組合せができるため地域、商店街等のオリジナルのくじができるため地域、商店街等の活性化を図る事ができる。【００１２】  電気通信事業を使用して発行、提供する。通信ネットワークへの接続した時点にて発行、提供する。
【産業上の利用の可能性】
【００１３】商店参加型のくじとして販売、提供する事ができる。
【図面の簡単な説明】
【図１】図柄用紙の図柄である。
【図２】ビンゴ式図柄用紙の平面図である。
【符号の簡単な説明】
【００１５】（１）自動車、二輪車、（自転車も含む）用品、部品（店）自動車レース、オートレース、駐車場等に付帯するサービス。
（２）楽器、楽譜、レコード、ＣＤ、ビデオ、コンサート、カラオケ、音楽関係、店（用品）等に付帯するサービス。
（３）カラオケ、音楽放送、コンサート、音楽教室等に付帯するサービス。
（４）ケーキ、菓子店等に付帯するサービス。
（５）スポーツ関係、用品店等に付帯するサービス。
（６）図書、文具店等に付帯するサービス。
（７）電話、電信等に付帯するサービス。
（８）商店街、ショッピングセンター等に付帯するサービス。
（９）地域の名産品、お土産、プレゼント商品等に付帯するサービス。
（１０）建築（住宅、建材、解体、他）等に付帯するサービス。
（１１）野菜、農産物、店、市場、八百屋等に付帯するサービス。
（１２）金融、保険、証券、店、市場等に付帯するサービス。
（１３）クレジットカード、ポイントカード、割引カード、プレゼントカード、カードを使ったサービス等に付帯するサービス。
（１４）レストラン、飲食店、指定店でのサービス、食事券、割引券、等に付帯するサービス。
（１５）家電製品、でんき、（店）に付帯するサービス。
（１６）オイル、ガソリン、石油、店等に付帯するサービス。
（１７）医療、薬、病院、医院、保険、薬局、介護、等に付帯するサービス。
（１８）ビデオ、等の録音、録画済磁気テープ、フィルム、放送番組（娯楽、アニメ、映画、スポーツ、文化、教育、広告、演芸、演劇、音楽の企画、運営、開催、施設の提供、座席の手配、ネガフィルム、ホジフィルム、図書、レコード、書画、玩具、カメラ、等の光学器械賃貸、写真撮影、通訳、翻訳、映像、上映、配給、興行、音声機器、映像スタジオ、ＴＶ局、情報通信ネットワーク等に付帯するサービス。
（１９）洋服、下着、店等に付帯するサービス。
（２０）遊園地、動物園、等に付帯するサービス。
（２１）お菓子、コンビニエンスストアー、等に付帯するサービス。
（２２）切手、ハガキ、手紙、印紙、宅配、メール便、郵便、電信、電話、通信、保険、金融、等に付帯するサービス。
（２３）新聞、宣伝、広告、テレビ、ラジオ、情報通信等に付帯するサービス。
（２４）生花、植木、冠婚葬祭、店に付帯するサービス。
（２５）ジュース、アルコール等のドリンク、飲料店に付帯するサービス。
（２６）星印のＦＲＥＥマークは自由な商品。
（２７）王冠の印は宝石、貴金属、店に付帯するサービス。
（２８）飛行機は旅行、飛行機、飛行船、玩具、等に付帯するサービス。
（２９）理、美容に付帯するサービス。
（３０）保険、証券、商品券、金券、くじ、当選金付証票、チケット、等に付帯するサービス。
（３１）旅行、競艇、船舶、等に付帯するサービス。
（３２）魚介類、水産物、加工食品、店、市場、等に付帯するサービス。
（３３）牛、豚、鳥、他の食肉の取り扱い店、加工食品店、市場、等に付帯するサービス。
（３４）反物、呉服、和服、織物、関係店等に付帯するサービス。
（３５）靴、靴下、等の取り扱い店に付帯するサービス。
（３６）機械金属関係取り扱い店に付帯するサービス。
（３７）娯楽、遊技機器関係取り扱い店に付帯するサービス。
（３８）運送、輸送、引越し、宅配、回収、等に付帯するサービス。
（３９）アパート、マンション、不動産、等に付帯するサービス。
（４０）経営、会計、経理、等に付帯するサービス。
（４１）ＩＴ関連、情報通信関連、ビデオ、等の録音、録画済みテープ、フィルム、放送番組、電信、電話、郵便、メール、通信、等に付帯するサービス。
（４２）果物、店、市場、等に付帯するサービス。
（４３）文房具取り扱い店に付帯するサービス。
（４４）農業、林業、に付帯するサービス。
（４５）すし取り扱い店に付帯するサービス。
（４６）うなぎ取り扱い店に付帯するサービス。
（４７）ご飯もの、丼物、ラーメン、うどん、店などに付帯するサービス。
（４８）温泉地、温泉、入浴施設、等に付帯するサービス。
（４９）学校、学習塾、教育、等に付帯するサービス。
（５０）植木、造園、材木、店、市場、等に付帯するサービス。
（５１）鉄道、旅行、駅ビル等に付帯するサービス。
（５２）お札、お守り、七福神めぐり、冠婚葬祭、石塔、神事、仏事、等に付帯するサービス。
（５３）カメラ、ビデオ、写真、撮影、広告、映像、印刷物、等に付帯するサービス。
（５４）電気、電気器具、店に付帯するサービス。
（５５）ガス、ガス器具、店に付帯するサービス。
（５６）水道、水道器具、店に付帯するサービス。
（５７）塗料、吹き付け、店に付帯するサービス。
（５８）瓦、屋根、店などに付帯するサービス。
（５９）ガラス、窓、アルミサッシ、店等に付帯するサービス。
（６０）障子、ふすま、カーテン、クロス、建具、店等に付帯するサービス。
（６１）畳、ジュータン、カーテン、タイル、ブロック、左官、店に付帯するサービス。
（６２）消火器、火災報知器、消防器具、消化器具、店に付帯するサービス。
（６３）測量、設計、足場、重機、鉄筋、鉄工、店に付帯するサービス。
（６４）ネオン、看板、広告、店に付帯するサービス。
（６５）厨房機器、テーブル、イス、等の家具に付帯するサービス。
（６６）洗面所、流し、トイレ、フロ、等に付帯するサービス。
（６７）砂利、コンクリート、アスファルト等に付帯するサービス。
（６８）二輪車、オートバイ、バイク、自転車、オートレース、競輪、等に付帯するサービス。
（６９）テレビ、放送番組、（娯楽、映画、スポーツ、文化、教育、広告、演芸、演劇、音楽の企画、運営、開催、施設の提供、座席の手配、ビデオ、レコード、等の録音、録画済みテープ、フィルム、ネガフィルム、ポジフィルム、図書、書画、玩具、カメラ、等の光学器械賃貸、写真撮影、通訳、翻訳、映像、上映、配給、興行、音声機器、映像スタジオ、ショッピング、ＴＶ局、情報通信関連ネットワーク）等に付帯するサービス。
（７０）動物、動物園、ペットショップ等に付帯するサービス。
（７１）バス、通学、通勤、旅行、観光、店などに付帯するサービス。
（７２）クリーニング、染み抜き、洗い張り、店などに付帯するサービス。
（７３）帽子、傘、杖、店などに付帯するサービス。
（７４）宝くじ、当選金付証票、店などに付帯するサービス。
（７５）御飯、食堂、米穀店、等に付帯するサービス。
（７６）ハンバーガー、フライドチキン、ピザ、たこやき、アイスクリーム、等のファーストフード店に意す付帯するサービス。
（７７）鳥肉、焼鳥、焼鳥重、親子丼、鳥肉料理、店に付帯するサービス。
（７８）牛肉、焼肉、すき焼き、しゃぶしゃぶ、ステーキ、店に付帯するサービス。
（７９）観光、観光地、名勝、旧跡、史跡、博物館、観光案内所、地場産業センター  観光協会、等に付帯するサービス。
（８０）お取り寄せ雑誌、フリーペーパー、電話帳、等に付帯するサービス。
（８１）馬、馬肉、馬肉料理、競馬、乗馬、等に付帯するサービス。
（８２）地域、都、道、府、県、区、市、町、村、等に付帯するサービス。
（８３）福祉施設、介護施設、医療施設、等に付帯するサービス。
【図１】
2010012206.tif 000003
【図２】
2010012206.tif 000004